(57)【要約】【課題】防犯上の問題を考慮しつつ、利用者のプライバシー性を高め、かつ利用者が入店しやすい開放的な印象を与える事が可能なインターネットカフェの店舗構造を提供する。【解決手段】インターネットカフェの店舗は、利用者の出入口Ｅと、店舗内の出入口から奥に設けられる、それぞれが１人の利用者を収容することができる複数のプライベートブース４００を備えた空間Ｂと、複数のプライベートブースと出入口との間に設けられる、それぞれが少なくとも２人の利用者を収容することができる複数のペアブースを備えた空間Ａとを備える。複数のペアブースの各々には扉が設けられてなく、壁部分と、利用者が出入りするための開口部とがあり、複数のペアブースのうち、少なくとも一部のペアブースの開口部の一部は、他のペアブースの壁部分により遮蔽される。これにより、ペアブース内のプライバシー性が高められる。【選択図】図１
2007308999.tif 000002
【特許請求の範囲】
【請求項１】
利用者の出入口と、
店舗内の前記出入口から奥に設けられる、それぞれが１人の利用者を収容することができる複数のプライベートブースと、
前記複数のプライベートブースと前記出入口との間に設けられる、それぞれが少なくとも２人の利用者を収容することができる複数のペアブースとを備え、
前記複数のペアブースの各々には扉が設けられてなく、壁部分と、利用者が出入りするための開口部とがあり、
前記複数のペアブースのうち、少なくとも一部のペアブースの開口部の一部は、他のペアブースの壁部分により遮蔽されることで、ペアブース内のプライバシー性が高められる、インターネットカフェの店舗構造。
【請求項２】
少なくとも２人の利用者を収容することができるインターネットカフェのペアブースであって、
扉が設けられてなく、壁部分と、利用者が出入りするための開口部とがあり、
他のペアブースと組合わせて用いられるときに、前記開口部の一部は、他のペアブースの壁部分により遮蔽され、かつ前記壁部分は、他のペアブースの開口部の一部を遮蔽する構造を有していることで、ペアブース内のプライバシー性が高められる、インターネットカフェのペアブース。
【発明の詳細な説明】
【技術分野】
【０００１】
この発明は、インターネットカフェの店舗構造、およびインターネットカフェのペアブースに関し、特に、簡易な構成であって使い勝手のよいインターネットカフェの店舗構造、およびインターネットカフェのペアブースに関する。
【背景技術】
【０００２】
複数のパーソナルコンピュータを設置することにより、利用者にインターネット環境を提供するインターネットカフェが存在している。
【発明の開示】
【発明が解決しようとする課題】
【０００３】
従来のインターネットカフェは、カラオケボックスの客室のようにそれぞれの区画の密室性を高めたブース席と、喫茶店やカフェの客席のように周囲から容易に様子を伺える開放性を高めたオープン席が客席として設けられた店舗構造となっている。
【０００４】
ブース席は、利用者１人が収容できる程度の広さの個室を単位として、これら個室が隣接し、隣接する個室の間の仕切りは開放できるように構成され、その仕切りを開放することにより、２人以上での利用が可能なように構成されている。それぞれの個室の入り口には扉が設けられている。
【０００５】
このように、従来のブース席は、密室性が高いため、昨今、防犯上の問題が指摘されている。特に、上述のように２人以上で利用するような場合に、青少年の育成上の問題が指摘され、各店舗では入り口の扉を撤去する処置が施され、ブースの外観デザインが良くない。
【０００６】
しかし、多くの利用者からは、周囲の雑音や監視なく、ゆっくりとくつろいで、インターネットや読書を楽しみたいというニーズは依然高く存在する。
【０００７】
また、上述のような問題が指摘される事情から、従来のインターネットカフェの店舗は、陰湿で暗いイメージがつきまとうことが少なくなく、利用に抵抗を感じる世代の人たちは、入店しづらく、顧客層が限られてしまう傾向があった。
【０００８】
また、従来のインターネットカフェは、開放感が無く、店舗の内装の設置に時間とコストがかかるという問題があった。また、利用者の使い勝手が悪いという問題があった。
【０００９】
この発明はそのような問題点を解決するためになされたものであり、上述の防犯上の問題を考慮しつつ、利用者のプライバシー性を高め、かつ利用者が入店しやすい開放的な印象を与える事が可能なインターネットカフェの店舗構造、およびインターネットカフェのペアブースを提供することを目的としている。
【００１０】
また、本発明は、開放感があり、簡易な構成であって使い勝手のよいインターネットカフェの店舗構造、およびインターネットカフェのペアブースを提供することを目的としている。
【課題を解決するための手段】
【００１１】
上記目的を達成するためこの発明のある局面に従うと、インターネットカフェの店舗構造は、利用者の出入口と、店舗内の出入口から奥に設けられる、それぞれが１人の利用者を収容することができる複数のプライベートブースと、複数のプライベートブースと出入口との間に設けられる、それぞれが少なくとも２人の利用者を収容することができる複数のペアブースとを備え、複数のペアブースの各々には扉が設けられてなく、壁部分と、利用者が出入りするための開口部とがあり、複数のペアブースのうち、少なくとも一部のペアブースの開口部の一部は、他のペアブースの壁部分により遮蔽されることで、ペアブース内のプライバシー性が高められる。
【００１２】
この発明の他の局面に従うと、インターネットカフェのペアブースは、少なくとも２人の利用者を収容することができるインターネットカフェのペアブースであって、扉が設けられてなく、壁部分と、利用者が出入りするための開口部とがあり、他のペアブースと組合わせて用いられるときに、開口部の一部は、他のペアブースの壁部分により遮蔽され、かつ壁部分は、他のペアブースの開口部の一部を遮蔽する構造を有していることで、ペアブース内のプライバシー性が高められる。
【発明の効果】
【００１３】
このように本発明では、店舗の入り口に近い側にオープン席を配置した空間を設けることにより、これから店舗へ入店しようとする利用者に開放的な印象を与え、また店舗への入店誘導効果を高めることが可能となり、顧客層が広がる。また、そのオープン席が、従来のように全面開放的なオープン席ではなく、密室性を有し、２人での利用を可能とするペアブースとなっていることにより、利用者のプライバシー性を高め、かつ防犯性の問題が解消された客席を確保することが可能となる。
【００１４】
さらには、ペアブースのプライバシー性を高める構造が、隣接するペアブースの構造の一部を利用することにより実現されていることにより、設置面積あたりの効率性が高まり、またその開放の程度を容易に調整可能な構造となっていることにより、設計配置上の融通性が高まり、かつ外観デザイン性が優れたものとなる。
【００１５】
また、本発明に従うと、開放感があり、簡易な構成であって使い勝手のよいインターネットカフェの店舗構造、およびインターネットカフェのペアブースを提供することが可能となる。
【発明を実施するための最良の形態】
【００１６】
図１は、本発明の実施の形態の１つにおけるインターネットカフェの店舗構造を示す平面図である。
【００１７】
図に示されるように、インターネットカフェは、周囲を壁や窓で囲まれており、避難扉などを除くと１つの出入口Ｅが備えられている。出入口Ｅの近くには複数のペアブースと複数のシングルブースとからなるオープンスペース空間Ａが設けられており、出入口Ｅから向かって店舗の奥には、プライベートブース４００が並ぶ空間Ｂが設けられている。各ブースには、机と、椅子と、照明装置と、テレビおよび／またはパソコンが配置されている。
【００１８】
また、インターネットカフェ内において、立ちながらパソコン等を操作する目的のブースや、畳、カーペットなどが敷かれているブースなどにあっては、椅子が設けられないブースがあってもよい。
【００１９】
プライベートブース４００としては、向かい合う１０列×２のユニットが２つ設けられている。プライベートブース４００には扉が設けられており、個室として利用者を隔離することができる。
【００２０】
扉は、ブース内部の様子が伺えるよう配置されていることが好ましい。また、腰位置あたりから下半分が開放され、ブース内の利用者と視線が合わないよう、プライバシー性が保たれていることがより好ましい。例えば、立った人の腰から肩の高さまでの両開き自在ドア（スイングドア）のように、床面から約１ｍの高さから上部に扉が設けられ、扉は自由蝶番により自由に開放できる構造などが考えられる。
【００２１】
店舗には各ブースに電源を供給するための電源ケーブルと、パソコンのＬＡＮケーブルと、テレビのケーブルとを収容するための柱３００ａ〜３００ｇ（一部のみを示す。）が設けられている。ケーブルは店舗の天井と柱３００ａ〜３００ｇとの中を通るように配置される。これにより、配線の視覚的な煩雑さをなくすことができる。
【００２２】
図２は、図１のオープンスペース空間Ａの拡大図である。
オープンスペース空間Ａでは、２人の利用者を収容できるペアブース２００ａと、２つのシングルブース１００ａ，１００ｂとからなるユニットが８個並べられている。
【００２３】
オープンスペース空間Ａのペアブース２００ａと、２つのシングルブース１００ａ，１００ｂとのそれぞれには、扉が設けられていない。また、天井も設けられていない。ペアブース２００ａと、２つのシングルブース１００ａ，１００ｂとのそれぞれは、壁部分と、利用者が出入りするための開口部とを有する。
【００２４】
ペアブース２００ｂは、他のペアブースと接するように配置されており、他のペアブースと組合わせて用いられている。その時、開口部の一部は、他のペアブースの壁部分により遮蔽される。また、１つのペアブースの壁部分は、他のペアブースの開口部の一部を遮蔽する構造を有している。
【００２５】
このような構成により、ペアブースの開口部分の広さを調整することができ、また壁部分の材料を減らすことができる。さらに、店舗の内装をコンパクトにすることができ、設置に時間とコストがかからない、また、かつ店舗を広く有効に使うことができ、利用者の使い勝手がよくなるというメリットがある。
【００２６】
また、扉が無いペアブースとシングルブースとからなるオープンスペース空間を、扉があるプライベートブース４００が並ぶ空間と出入口Ｅとの間に設けることにより、利用者が店内に入ったときに開放感のある店舗を構成することができる。特に、オープンスペース空間Ａのペアブース２００ａと、２つのシングルブース１００ａ，１００ｂとのそれぞれの壁部分が天井まで達しない高さで構成することにより、店舗の天井付近に開け放たれた空間が形成され、店舗内部が見渡せ、より開放感が増す。
【００２７】
また、オープンスペース空間Ａのペアブース２００ａと、２つのシングルブース１００ａ，１００ｂとのそれぞれの壁部分を、光の透過性のある透明、または半透明などの部材で構成することで、店内を明るくすることができる。
【００２８】
図３は、２つのシングルブース１００ａ，１００ｂの斜視図であり、図４は平面図である。
【００２９】
図に示されるように、店舗内において、シングルブース１００ａと１００ｂとは、互いに逆方向を向いて設置される。ブースの内部を外部と隔てるのは、パネル（壁部分）１０１ａ，１０１ｂである。パネル１０１ａ，１０１ｂは上から見ると、それぞれ半円形状をしており、これにより、ブースの開口領域１０９ａ，１０９ｂが形成される。円弧状に曲げられたパネル１０１ａ，１０１ｂの端部が固定されることで、繋げて上から見ると壁部分は、「Ｓ」字状の形状をしている。
【００３０】
パネル１０１ａ，１０１ｂで囲まれる部分がブースを構成し、ブースの中には、パネルを補強するためのフレーム１０５ａ，１０５ｂと、パソコン１０７ａ，１０７ｂと、パソコンを載置するためのデスク１０３ａ，１０３ｂとが設置される。また、利用者Ｐが座るための椅子１１１ａ，１１１ｂが備えられる。
【００３１】
パネル１０１ａ，１０１ｂは、好ましくはポリカーボネート樹脂で構成され、その内部には上下方向に伸びる空洞部分を等間隔に複数有している。これによりパネルを円弧状に曲げることが容易になっている。また、空洞ではない部分がリブ部材を形成するため、円弧状に曲げられている方向以外に対しては、パネルの強度が増している。
【００３２】
各シングルブース１００ａ，１００ｂにおいては、それぞれ１人の利用者がデスク１０３ａ，１０３ｂ上でインターネットを利用することができる。また、パネル１０１ａ，１０１ｂは上から見ると半円形状をしていることから、密室性が回避され、かつプライバシーの確保が可能となっている。なお、プライバシーを重視するのであれば、パネル１０１ａ，１０１ｂは遮光性のものを用いてもよい。
【００３３】
またパネル１０１ａ、１０１ｂの外側に配置された、透過性を有する薄いパネル（符号なし）と、これらパネル１０１ａ、１０１ｂとの間に、明るいイメージの色彩でデザインされた模様が印刷されたシートを挟み込み、このシートを外部から視認できるようにすれば、開放感のある明るいイメージを与えることができる。
【００３４】
図５は、ペアブース２００ａの斜視図であり、図６は平面図である。
ブースの内部を外部と隔てるのは、パネル（壁部分）２０１ａである。パネル２０１ａは上から見ると、円弧状をしており、これにより、ブースの開口領域２０９ａが形成される。壁部分は、上から見ると「Ｃ」字状の形状をしている。
【００３５】
パネル２０１ａに囲まれる部分がブースを構成し、ブースの中には、パネルを補強するためのフレーム２０５ａと、パソコン２０７ａと、テレビ２１３ａと、パソコンやテレビを載置するためのデスク２０３ａとが設置される。また、複数の利用者Ｐが座るための椅子が備えられる。
【００３６】
パネル２０１ａの素材は、シングルブースのパネルの素材と同じである。
各ペアブースにおいては、それぞれ２人以上の利用者がデスク２０３ａ上でインターネットを利用することができる。また、パネル２０１ａは上から見ると「Ｃ」字状をしていることから、密室性が回避され、かつプライバシーの確保が可能となっている。
【００３７】
さらに、図６に示されるようにデスク２０３ａは、ブースの開口領域に対して正面に設けられるのではなく、左にずらして設けられている。これにより、開口領域からパソコン２０７ａやテレビ２１３ａの画面が見えにくくなり、利用者のプライバシーをより確保しやすくなる。またさらに、図２に示されるように、他のペアブースのパネルにより開口領域のパソコン２０７ａやテレビ２１３ａの画面が見える範囲を制限することで、よりプライバシーの確保が可能となる。
【００３８】
なお、デスク２０３ａの位置は、ブース内で移動可能とし、開口領域からの見え方を調整できるようにしてもよい。
【００３９】
図７は、デスクの位置とブースの構成のバリエーションを示す図である。
図において、横方向にデスク（テーブル＝Ｔで示す。）の位置を開口領域（点線部分）に対して変えたバリエーションを示し、縦方向に開口部分の量を変えたバリエーションを示している。また、右下、左下においては、パネルに袖Ｓ１，Ｓ２を設けた例を示している。このように、直線状や円弧状の袖をつけることで、オープンなブースから、より個室に近付けたブースにすることができる。
【００４０】
シングルブース、ペアブースともに、図７に示すバリエーションを取ることができる。
図８〜１０は、シングルブースやペアブースを配置する方法のバリエーションを示す図である。
【００４１】
図８は、ブースの向きを交互に並べた形態を示す図である。このとき、右に示されるようにパネルの一部に袖を設けることとしてもよい。
【００４２】
図９は、ブースの向きを同じにして並べた形態を示す図である。このときも、袖を設けることで個室性を高めてもよい。
【００４３】
図１０は、ブースの向きを同じにして並べた形態を示す図である。このときも、中央に平面のパネルで袖Ｓを設けることで個室性を高めてもよい。
【００４４】
図１１〜２２は、ブースの配列の具体例を示す図である。
図１１は、図２に示した配列である。図１２は、ペアブース２００ａの左右にシングルブース１００ａ，１００ｂを１つずつ配置した例である。この例では、入り口を全てのブースで同一方向とすることができる。
【００４５】
図１３は、ペアブース２００ａ，２００ｂを２つ連結した例である。ペアブースの需要が多い店舗で有用である。図１４は、ペアブース２００ａに３つのシングルブース１００ａ〜１００ｃを繋げた例である。
【００４６】
図１５は、図１１のシングルブースを同じ向きにした例である。この例では、シングルブースの利用者同士が隣同士となるため、プライバシー性は低くなるが、ペアでの利用客に柔軟に対応できるというメリットがある。
【００４７】
図１６は、図１２のシングルブースをペアブースとは逆向きにした例である。この例では、それぞれの席の独立性を向上させることができる。
【００４８】
図１７は、図１３のペアブースをそれぞれ逆向きにした例である。この例でも、それぞれの席の独立性を向上させることができる。
【００４９】
図１８は、シングルブース１００ａの左右にペアブース２００ａ，２００ｂを配置した例である。この場合では、ペアブース同士の距離を離しつつ、シングル席も確保できるというメリットがある。
【００５０】
図１９は、シングルブース１００ａ〜１００ｄを向い合せに４つ配列した例である。これは、ネットゲームなどでの利用を考慮した例であり、各個人の個別性とグループ利用の利便性を兼ね備えた例である。また、シングルブースを図２０のように配置することも可能であるが、この場合は各利用者が背を向かい合わせる形になるため、グループ利用としての利便性は少なくなる。
【００５１】
図２１は、複数のブースを重ね合わせて配置した例である。各ブースは、他のブースと接するように配置されており、他のペアブースと組合わせて用いられている。その時、開口部の一部は、他のペアブースの壁部分により遮蔽される。また、１つのペアブースの壁部分は、他のペアブースの開口部の一部を遮蔽する構造を有している。
【００５２】
図２２は、２つのシングルブースをペアで用いて、ペアブースを構成した例である。この場合でも、開口部の一部が、他のペアブースの壁部分により遮蔽される。また、１つのペアブースの壁部分は、他のペアブースの開口部の一部を遮蔽する構造を有している。
【００５３】
なお、上述の実施の形態においては、ブースの形状が上から見ると円弧状としたが、本発明はこれに限られない。
【００５４】
図２３は、ブースの形状を楕円形にした例を示す図であり、図２４および２５は、ブースの形状を多角形とした例を示す図である。このようなブースの形態でも上記同様にブースを組合わせて用いることができる。
【００５５】
なお、シングルブースを図２のように配置する場合、シングルブース１００ａ，１００ｂの配列方向を傾けることが望ましい。すなわち、図２の例ではシングルブース１００ａ，１００ｂの配列方向は、右に傾いている。これにより、図２のシングルブース１００ａ，１００ｃが並ぶ方向と、シングルブース１００ａ，１００ｂが並ぶ方向とが成す角度が９０度では無くなる。これにより、図２ではシングルブース１００ｂと１００ｃとの間の距離を長くすることができ、各利用者のプライバシーを高めることができる。
【００５６】
また、ブースを上から見たときに、壁部分の長さは、開口部の長さの３倍以下とすることが望ましい。すなわち、図７の上段の図に示されるように、実線の壁部分が点線の開口部分の長さの３倍以下（ブースが円である場合に、中心角９０度以上の部分が開口部）であることが望ましい。壁部分の長さが、開口部の長さの３倍以上であっても、ブースの壁部分は、完全にブースの四方を囲まず、かつ、通路からブース内部を容易に見渡せる程度の大きさとすることが望ましい。図２の配列においては、ペアブース２００ｂの開口部の一部が他のペアブース２００ａの壁部分により遮蔽されることで、ペアブース２００ｂの開口部が小さくなっているが、通路からペアブース２００ｂの内部が容易に見渡せる程度とされている。
【００５７】
ブースを上から見たときに四角形で構成する場合には、四方を完全に壁で囲まず、三方を壁で囲み、四角形の一辺を開放させることが好ましい。
【００５８】
なお、ブースの壁部分の遮光性が低すぎると、パネルに写る人影が、ブースの内部の利用者から見えることとなり、プライバシー性が低下する。このため、壁部分は、ブース内部の利用者がブース外部を通行する人の気配を感じない程度の遮光性とすることが好ましい。
【００５９】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６０】
【図１】本発明の実施の形態の１つにおけるインターネットカフェの店舗構造を示す平面図である。
【図２】図１のオープンスペース空間Ａの拡大図である。
【図３】２つのシングルブース１００ａ，１００ｂの斜視図である。
【図４】２つのシングルブース１００ａ，１００ｂの平面図である。
【図５】ペアブース２００ａの斜視図である。
【図６】ペアブース２００ａの平面図である。
【図７】デスクの位置とブースの構成のバリエーションを示す図である。
【図８】ブースの向きを交互に並べた形態を示す図である。
【図９】ブースの向きを同じにして並べた形態を示す図である。
【図１０】ブースの向きを同じにして並べた形態を示す図である。
【図１１】ブースの配列の例を示す図である。
【図１２】ペアブース２００ａの左右にシングルブース１００ａ，１００ｂを１つずつ配置した例を示す図である。
【図１３】ペアブース２００ａ，２００ｂを２つ連結した例を示す図である。
【図１４】ペアブース２００ａに３つのシングルブース１００ａ〜１００ｃを繋げた例を示す図である。
【図１５】図１１のシングルブースを同じ向きにした例を示す図である。
【図１６】図１２のシングルブースをペアブースとは逆向きにした例を示す図である。
【図１７】図１３のペアブースをそれぞれ逆向きにした例を示す図である。
【図１８】シングルブース１００ａの左右にペアブース２００ａ，２００ｂを配置した例を示す図である。
【図１９】シングルブース１００ａ〜１００ｄを向い合せに４つ配列した例を示す図である。
【図２０】シングルブース１００ａ〜１００ｄを複数配列した例を示す図である。
【図２１】複数のブースを重ね合わせて配置した例を示す図である。
【図２２】２つのシングルブースをペアで用いて、ペアブースを構成した例を示す図である。
【図２３】ブースの形状を楕円形にした例を示す図である。
【図２４】ブースの形状を多角形とした例を示す図である。
【図２５】ブースの形状を多角形とした例を示す図である。
【符号の説明】
【００６１】
１００ａ，１００ｂ  シングルブース、１０１ａ，１０１ｂ  パネル、１０３ａ，１０３ｂ  デスク、１０５ａ，１０５ｂ  フレーム、１０７ａ，１０７ｂ  パソコン、１０９ａ，１０９ｂ  開口領域、２００ａ，２００ｂ  ペアブース、２０１ａ  パネル、２０３ａ  デスク、２０５ａ  フレーム、２０７ａ  パソコン、２０９ａ  開口領域、２１３ａ  テレビ、３００ａ〜３００ｇ  柱。
【図１】
2007308999.tif 000003
【図２】
2007308999.tif 000004
【図３】
2007308999.tif 000005
【図４】
2007308999.tif 000006
【図５】
2007308999.tif 000007
【図６】
2007308999.tif 000008
【図７】
2007308999.tif 000009
【図８】
2007308999.tif 000010
【図９】
2007308999.tif 000011
【図１０】
2007308999.tif 000012
【図１１】
2007308999.tif 000013
【図１２】
2007308999.tif 000014
【図１３】
2007308999.tif 000015
【図１４】
2007308999.tif 000016
【図１５】
2007308999.tif 000017
【図１６】
2007308999.tif 000018
【図１７】
2007308999.tif 000019
【図１８】
2007308999.tif 000020
【図１９】
2007308999.tif 000021
【図２０】
2007308999.tif 000022
【図２１】
2007308999.tif 000023
【図２２】
2007308999.tif 000024
【図２３】
2007308999.tif 000025
【図２４】
2007308999.tif 000026
【図２５】
2007308999.tif 000027